(57)【特許請求の範囲】
【請求項１】
パネル部材と、前記パネル部材を支持する支柱と、前記パネル部材に固定され、当該パネル部材の下方に形成されるパネル下空隙を覆うパネル下カバーと、を有するパネルユニット、
２つの前記パネルユニットがそれぞれ固定されて当該２つのパネルユニットを所定の角度に接合するコーナー部材、
前記パネルユニットにそれぞれ取り付けられ、前記コーナー部材の下方に形成されるコーナー下空隙を覆う一対のコーナー下カバー、
を備え、
前記一対のコーナー下カバーは各々、一端部が前記パネルユニットに固定されており、他端部は他方の前記コーナー下カバーに連結されることなく前記コーナー下空隙内に位置していることを特徴とするフェンス。
【請求項２】
請求項１に記載のフェンスであって、
前記コーナー部材は前記パネル部材に固定され、前記コーナー下カバーの前記一端部は前記パネル下カバーに取り付けられていることを特徴とするフェンス。
【請求項３】
請求項２に記載のフェンスであって、
前記パネル下カバーの前記コーナー部材側の端にはキャップ部材が設けられ、前記キャップ部材は前記コーナー下カバーとともに前記パネル下カバーに単一の固定具にて固定されることを特徴とするフェンス。
【請求項４】
請求項１に記載のフェンスであって、
前記コーナー部材は前記支柱に固定され、前記コーナー下カバーの前記一端部は当該支柱に取り付けられていることを特徴とするフェンス。
【請求項５】
請求項１乃至請求項４のいずれかに記載のフェンスであって、
前記コーナー下カバーは、前記コーナー部材の水平断面における輪郭の内側に配置されていることを特徴とするフェンス。
【請求項６】
請求項１乃至請求項５のいずれかに記載のフェンスであって、
前記コーナー下カバーは、前記パネルユニットに固定される固定板部にて前記一端部が構成され、当該固定板部と交差する方向に設けられた遮蔽板部で前記他端部が構成され、
一方のパネルユニットに設けられたコーナー下カバーの遮蔽板部の先端部と、他方のパネルユニットに設けられたコーナー下カバーの遮蔽板部の先端部とが近接した状態で配置されていることを特徴とするフェンス。
【請求項７】
請求項１乃至請求項６のいずれかに記載のフェンスであって、
前記コーナー下カバーは、上下方向における中央から上側の部位と下側の部位とが対称であることを特徴とするフェンス。
【発明の詳細な説明】
【技術分野】
【０００１】
本発明は、支柱とパネル部材とを有するフェンスに関する。
【背景技術】
【０００２】
支柱とパネル部材とを有するフェンスとしては、例えば、互いに適宜間隔を隔てて配置した複数の支柱間にフェンスパネルが支持されたフェンスが知られている。このようなフェンスは、支柱に支持されたフェンスパネルの端部同士を所定の角度にて連結してフェンスのコーナーを構成している（例えば、特許文献１参照）。このとき、フェンスパネルの下端は、支柱が立設されている部位（例えば基礎）より離れて上方に位置している。
【特許文献１】特開平８−２７０２６８号公報
【発明の開示】
【発明が解決しようとする課題】
【０００３】
上記従来のフェンスでは、フェンスパネルとして板材を用い、外部からの視線を遮るようにしても、フェンスパネルの下及びフェンスパネル同士が接合されたコーナー部分の下には空隙があるので、完全に視線を遮ることはできないという課題がある。
【０００４】
本発明は、かかる課題に鑑みてなされたものであり、その目的とするところは、フェンスを構成するパネル部材の下の空隙及びコーナー部分の下の空隙を容易に覆うことが可能なフェンスを提供することにある。
【課題を解決するための手段】
【０００５】
かかる目的を達成するために本発明のフェンスは、パネル部材と、前記パネル部材を支持する支柱と、前記パネル部材に固定され、当該パネル部材の下方に形成されるパネル下空隙を覆うパネル下カバーと、を有するパネルユニット、２つの前記パネルユニットがそれぞれ固定されて当該２つのパネルユニットを所定の角度に接合するコーナー部材、前記パネルユニットにそれぞれ取り付けられ、前記コーナー部材の下方に形成されるコーナー下空隙を覆う一対のコーナー下カバー、を備え、前記一対のコーナー下カバーは各々、一端部が前記パネルユニットに固定されており、他端部は他方の前記コーナー下カバーに連結されることなく前記コーナー下空隙内に位置していることを特徴とするフェンスである。
【０００６】
このようなフェンスによれば、パネル部材下のパネル下空隙をパネル下カバーにて、また、コーナー部材下のコーナー下空隙をコーナー下カバーにて覆うので、パネル下空隙及びコーナー下空隙をいずれも覆うことが可能である。このとき、対をなすコーナー下カバーは、各々一端部が固定されているだけで、他端部は他方のコーナー下カバーに連結されないので、取り付けが容易である。また、コーナー下カバーの他端部はコーナー下空隙内に位置しているので、少なくともコーナー下カバーが無い状態より確実にコーナー下空隙を覆うことが可能である。
【０００７】
かかるフェンスであって、前記コーナー部材は前記パネル部材に固定され、前記コーナー下カバーの前記一端部は前記パネル下カバーに取り付けられていることが望ましい。  
このようなフェンスによれば、コーナー部材が固定されているパネル部材のパネル下空隙を覆うパネル下カバーに、コーナー下カバーの一端部が取り付けられているので、パネル下空隙からコーナー下空隙の間を隙間無く覆うことが可能である。
【０００８】
かかるフェンスであって、前記パネル下カバーの前記コーナー部材側の端にはキャップ部材が設けられ、前記キャップ部材は前記コーナー下カバーとともに前記パネル下カバーに単一の固定具にて固定されることが望ましい。  
このようなフェンスによれば、パネル下カバーのコーナー部材側の端にはキャップ部材が設けられているので、パネル下カバーのコーナー部材側の端面が露出することが無い。また、キャップ部材はコーナー下カバーとともに単一の固定具にて固定されるので、キャップ部材とコーナー下カバーとを取り付けるために別個の固定具を使用しない。このため、必要とする固定具の数が少なく、取り付け作業の手間も低減することが可能である。
【０００９】
かかるフェンスであって、前記コーナー部材は前記支柱に固定され、前記コーナー下カバーの前記一端部は当該支柱に取り付けられていることが望ましい。  
このようなフェンスによれば、コーナー部材が固定されている支柱に、コーナー下カバーの一端部が取り付けられているので、支柱にて仕切られたコーナー下空隙を隙間無く覆うことが可能である。
【００１０】
かかるフェンスであって、前記コーナー下カバーは、前記コーナー部材の水平断面における輪郭の内側に配置されていることが望ましい。  
このようなフェンスによれば、コーナー下カバーがコーナー部材の水平断面における輪郭より外側に突出しないので、意匠性に優れたフェンスを提供することが可能である。
【００１１】
かかるフェンスであって、前記コーナー下カバーは、前記パネルユニットに固定される固定板部にて前記一端部が構成され、当該固定板部と交差する方向に設けられた遮蔽板部にて前記他端部が構成され、一方のパネルユニットに設けられたコーナー下カバーの遮蔽板部の先端部と、他方のパネルユニットに設けられたコーナー下カバーの遮蔽板部の先端部とが近接した状態で配置されていることが望ましい。  
このようなフェンスによれば、コーナー下カバーを固定板部と遮蔽板部とが交差する方向に設けられる、例えば平板を折り曲げたような簡単な形状で構成することができる。
【００１２】
かかるフェンスであって、前記コーナー下カバーは、上下方向における中央から上側の部位と下側の部位とが対称であることが望ましい。  
このようなフェンスによれば、コーナー下カバーは、上下方向における中央から上側の部位と下側の部位とが対称なので、１種類のコーナー下カバーを反転させて固定することにより左右のコーナー下空隙に用いることが可能である。
【発明の効果】
【００１３】
本発明によれば、フェンスを構成するパネル部材の下の空隙及びコーナー部分の下の空隙を容易に覆うことが可能なフェンスを提供することが可能である。
【発明を実施するための最良の形態】
【００１４】
以下、本発明の第１実施形態に係るフェンスについて図面を参照して説明する。  
第１実施形態のフェンス１０は、パネル部材１４が当該フェンス１０にて仕切られる領域の外側から支柱１２に取り付けられた、自由柱タイプのフェンス１０である。以下の説明においては、フェンス１０にて仕切られる領域の外側を単に外側、また、フェンス１０にて仕切られる領域の内側を単に内側として説明する。
【００１５】
フェンス１０は、図１、図２に示すように、基礎１に立設された複数の支柱１２と、面材１４ａと面材１４ａの上下に配置された枠部材１４ｂ、１４ｃにて形成されたパネル部材１４と、パネル部材１４と基礎１との間の空隙（パネル下空隙）を覆うパネル下カバー１６と、パネル部材１４間に設けられてフェンス１０の角部を構成するコーナー部材２２と、コーナー部材２２の下方の空隙（コーナー下空隙）を覆うコーナー下カバー１８とを有している。
【００１６】
支柱１２は、例えばアルミニウム製の中空角材であり、適宜間隔を隔てて複数設けられている。各支柱１２の上端部は端部キャップ（不図示）が設けられている。
【００１７】
パネル部材１４は、複数の支柱１２のうち隣接する２本の支柱１２に内側からねじにて固定されている。このとき、パネル部材１４の幅は、２本の支柱１２の間隔より広く構成されており、２本の支柱の両側にパネル部材１４の端部がそれぞれ突出するように固定されている。また、パネル部材１４の下端は、基礎１と間隔を隔てて配置され、パネル部材１４の下方にはパネル下空隙が形成されている。
【００１８】
パネル下カバー１６は、パネル部材１４の下側の枠部材１４ｃにねじ止めされる押出成形部材である。パネル下カバー１６は、パネル部材１４の幅とほぼ同じ幅を有し、上部側がパネル部材１４に固定された際に、下部側の約半分はパネル部材１４の厚み方向において内側に入り込むように、屈曲した断面形状をなしている。すなわち、パネル下カバー１６は、図３に示すように、パネル部材１４の外側に当接されて固定される上板部１６ａと、パネル部材１４の下方に位置して上板部１６ａより内側に配置される下板部１６ｂと、上板部１６ａと下板部１６ｂとを繋いで僅かに傾斜した連結部１６ｃとを有している。また、パネル下カバー１６の下部側の約半分となる下板部１６ｂには、内側にコーナー下カバー１８を取り付けるためのねじ螺合部１６ｄが設けられ、下端には基礎１に僅かな隙間を介して対向するゴム等の弾性部材２９が設けられている。
【００１９】
このように、パネル下カバー１６が取り付けられたパネル部材１４が支柱１２に取り付けられた状態を、説明の便宜上パネルユニット１５と称するが、必ずしもこの状態にて単体のユニットとして存在するものではない。また、フェンス１０にて区画する領域が横方向に広い場合には、隣接するパネル部材１４の上下の枠部材１４ｂ、１４ｃ同士を連結具１９にて連結して用いるが、このように連なった状態もパネルユニット１５と称する。また、隣接するパネル部材１４同士を連結する場合には、図２に示すように、隣接するパネル下カバー１６には連結部材１７が両者に跨るように設けられ、パネル下カバー１６とともにパネル部材１４の下側の枠部材１４ｃにねじ止めされる
第１実施形態のフェンス１０は、２つのパネルユニット１５がほぼ直交するように、各パネルユニット１５の端部間にコーナー部材２２が設けられている。
【００２０】
コーナー部材２２は、パネル部材１４の高さとほぼ同じ長さを有する軸体２２ｂと、軸体２２ｂの上下端部にパネル部材１４の上下の枠部材１４ｂ、１４ｃと連結されるコーナー継ぎ手２２ａが回動自在に設けられている。すなわち、上下のコーナー継ぎ手２２ａには、隣接するパネルユニット１５の端に位置するパネル部材１４の上下の枠部材１４ｂ、１４ｃがそれぞれ固定されている。上下のコーナー継ぎ手２２ａ間には、パネル部材１４の高さとほぼ同じ長さを有する縦枠２２ｃが設けられているので、コーナー部材２２とパネル部材１４との間、及び、コーナーで隣接するパネル部材１４間もコーナー部材２２の縦枠２２ｃにより覆われる。
【００２１】
コーナー部材２２にて接合される２つのパネルユニット１５の端部側となるコーナー下カバー１８には、それぞれ、コーナー部材２２の下方に形成されるコーナー下空隙を覆うコーナー下カバー１８と、コーナー下カバー１８とパネル部材１４との間にてパネル下カバー１６の端面を覆うためのキャップ部材２８とが取り付けられている。ここで、コーナー部材２２にて接合される２つのパネルユニット１５にそれぞれ取り付けられるコーナー下カバー１８が一対のコーナー下カバー１８である。
【００２２】
コーナー下カバー１８は、パネル部材１４の厚み方向に沿って配置されて固定具としてのねじ３０が貫通される取付孔１８ｃが設けられた一端部としての固定板部１８ａと、固定板部１８ａの外側の縁から固定板部１８ａと交差する方向に折れ曲がりパネル部材１４の幅方向に沿うように設けられた他端部としての遮蔽板部１８ｂとを有している。本実施形態においては、コーナー下カバー１８は、固定板部１８ａと遮蔽板部１８ｂとがほぼ直角をなすように略Ｌ字状に形成されている。固定板部１８ａには、長手方向を上下方向に向けて形成された２つの取付長孔１８ｃが、上下方向に間隔を隔てて設けられている。すなわち、ほぼ直角に折り曲げられた長方形状の板材の一方が固定板部１８ａ、他方が遮蔽板部１８ｂとなり、固定板部１８ａに２つの取付長孔１８ｃが設けられ、上下方向における中央から上側の部位と下側の部位とが対称に形成されている。このため、１種類のコーナー下カバー１８を反転させて用いることにより、コーナー部材２２の左右のコーナー下空隙をそれぞれ覆うコーナー下カバー１８として使用することが可能である。このとき、コーナー下カバー１８の取付長孔１８ｃの位置は、上下方向の中央から上側の部位と下側の部位とが正確に対称である必要はなく、ほぼ対称に形成されていれば構わない。
【００２３】
キャップ部材２８は、パネル下カバー１６の端面を覆うカバー部２８ａと、カバー部２８ａから下方に延出されてパネル下カバー１６のねじ螺合部１６ｄに螺合されるねじ３０が貫通する貫通孔２８ｃが設けられた延出部２８ｂとを有している。キャップ部材２８は、パネル下カバー１６とコーナー下カバー１８との間に介在されるとともに、取付孔１８ｃと貫通孔２８ｃとが重なるように配置され単一のねじ３０にてパネル下カバー１６に取り付けられている。
【００２４】
第１実施形態のフェンス１０は、直角をなすように設けられた基礎１に適宜間隔を隔てて立設された複数の支柱１２に複数のパネル部材１４が取り付けられ、図１（ｂ）に示すように、角部にて隣接する２枚のパネル部材１４間にコーナー部材２２が取り付けられた状態にて、パネル下カバー１６が取り付けられる。ここで、図１（ａ）は、パネル下カバー１６、コーナー下カバー１８、キャップ部材２８取り付けられる前の外観を、図１（ｃ）は、パネル下カバー１６、コーナー下カバー１８、キャップ部材２８取り付けられた後の外観をそれぞれ示しており、図１（ｂ）にてパネル下カバー１６、コーナー下カバー１８、キャップ部材２８取り付けられる状態をＡ部のみ拡大して示している。
【００２５】
コーナー部材２２と接合されているパネル部材１４に取り付けられるパネル下カバー１６には、キャップ部材２８とコーナー下カバー１８とを予め取り付けておく。そして、キャップ部材２８とコーナー下カバー１８とが取り付けられたパネル下カバー１６は、一対のコーナー下カバー１８の遮蔽板部１８ｂがそれぞれコーナー下空隙内に位置するように配置される。
【００２６】
より具体的には、一対のコーナー下カバー１８は、一方のコーナー下カバー１８の遮蔽板部１８ｂが他方のコーナー下カバー１８に連結されることなく、一方のコーナー下カバー１８の遮蔽板部１８ｂの先端１８ｄが、他方のコーナー下カバー１８の遮蔽板部１８ｂの先端１８ｄに向かい、各々の遮蔽板部１８ｂがほぼ直角をなすように配置されてパネル下カバー１６がパネル部材１４に固定される。このとき、一方のコーナー下カバー１８の遮蔽板部１８ｂの先端１８ｄと他方のコーナー下カバー１８の遮蔽板部１８ｂの先端１８ｄとは当接していても、また、当接しないが近接した状態、または互いに間隔を隔てた状態であってもよい。たとえば、パネル下カバー１６の端部からフェンス１０のコーナー側にコーナー下カバー１８の遮蔽板部１８ｂが突出してコーナー下空隙内に位置するように配置されていてもよく、この場合であっても、少なくともコーナー下カバー１８がない状態よりはコーナー下空隙を覆うことが可能である。
【００２７】
また、このとき、コーナー下カバー１８は、図２に示すように、コーナー部材２２の水平断面における輪郭の内側に配置されているので、コーナー下カバー１８がパネルユニット１５の外側に突出しないため、意匠性に優れたフェンス１０を実現することが可能である。
【００２８】
さらに、第１実施形態のフェンス１０によれば、パネル下空隙をパネル下カバー１６にて、コーナー下空隙をコーナー下カバー１８にて覆うので、パネル部材１４の下及びコーナー部材２２の下をいずれも覆うことが可能である。このとき、対をなすコーナー下カバー１８は、各々固定板部１８ａが固定されているだけで、遮蔽板部１８ｂは他方のコーナー下カバー１８に連結されないので、取り付けが容易である。
【００２９】
また、コーナー部材２２が固定されているパネル部材１４のパネル下空隙を覆うパネル下カバー１６に、コーナー下カバー１８が取り付けられているので、パネル下空隙からコーナー下空隙の間を隙間無く覆うことが可能である。
【００３０】
また、パネル下カバー１６のコーナー部材２２側の端に設けられたキャップ部材２８はコーナー下カバー１８とともに単一のねじ３０にて固定されているので、キャップ部材２８とコーナー下カバー１８とを取り付けるために別個のねじ３０を使用しない。このため、必要とするねじ３０の数が少なく、取り付け作業の手間も低減することが可能である。
【００３１】
本実施形態のコーナー下カバー１８は、上下方向における中央から上側の部位と下側の部位とを対称な構成としたが、これに限らず、上下方向における中央から上側の部位と下側の部位とが非対称な構成であっても構わない。上下形状が非対称な場合には、コーナー下カバーにおける上下の方向を視認しやすいため、上下が間違って取り付けられることを防止することが可能である。
【００３２】
第２実施形態のフェンス５０は、隣接して設けられた支柱１２間にパネル部材１４が支持された、所謂間仕切柱タイプのフェンス５０である。以下の説明において、第１実施形態と同様の部材には同じ符号を付し説明を省略する。
【００３３】
第２実施形態のフェンス５０も、図４、図５に示すように、２つのパネルユニット５１がほぼ直交するように、各パネルユニット５１の端部間にコーナー部材２２が設けられている。コーナー部材２２により接合される２つのパネルユニット５１のうち一方のパネルユニット５１ａは、接合されている端部に支柱１２が連結部材１１を介して設けられており、他方のパネルユニット５１ｂは、接合されている端部にパネル部材１４の端部が配置されている。このため、接合されている端部がパネル部材１４の端部である他方のパネルユニット５１ｂ側にてパネル下空隙及びコーナー下空隙を覆う構造は上記第１実施形態と同じなので説明を省略し、ここでは接合されている端部が支柱１２である一方のパネルユニット５１ａ側について主に説明する。
【００３４】
フェンス５０は、隣接する２本の支柱１２により、支柱１２間に配置されたパネル部材１４が支持されているので、パネル下カバー１６は、隣接する支柱１２間に配置されてパネル部材１４の下側の枠部材１４ｃに固定されている。隣接する支柱１２間に配置されるパネル下カバー１６にはキャップ部材２８及びコーナー下カバー５５は固定されないので、ねじ螺合部１６ｄは必ずしも設けられていなくても良い。
【００３５】
端部に支柱１２が設けられたパネルユニット５１ａに設けられるコーナー下カバー５５は、図６に示すように、両面テープ等により支柱１２に固定される。支柱１２に固定されるコーナー下カバー５５は、パネル部材１４の厚み方向に沿って配置されて支柱１２の側面に当接される一端部としての固定板部５５ａと、固定板部５５ａの外側の縁からほぼ直角となるように設けられた他端部としての遮蔽板部５５ｂとを有して略Ｌ字状に形成されている。この固定板部５５ａには、支柱１２と対面する側の面に両面テープ５６が設けられている。また、遮蔽板部５５ｂは、下端が固定板部５５ａの下端と同じになるように形成され、上端部は固定板部５５ａの上端より上方に位置するように形成されて、上下方向における中央から上側の部位と下側の部位とが非対称に形成されている。このように上下の形状が異なることで上下の取付け向きが明確となり、上下を反転して間違えて取付けることを防止できる。
【００３６】
第２実施形態のフェンス５０は、基礎１に立設された複数の支柱１２の隣接する支柱１２間に複数のパネル部材１４が取り付けられるとともに、一方のパネルユニット５１ｂに接合する側に、さらにパネル部材１４が取り付けられている。角部にて隣接する２つのパネルユニット５１ａ、５１ｂは、一方のパネルユニット５１ａの支柱１２と他方のパネルユニット５１ｂの上下の枠部材１４ｂ、１４ｃとにコーナー部材２２が取り付けられた状態にて、各パネル部材１４にパネル下カバー１６が取り付けられる。そして、図４（ｂ）に示すように、コーナー部材２２が取り付けられている支柱１２にコーナー下カバー５５が取り付けられ、最後にコーナー部材２２が取り付けられているパネル部材１４に、キャップ部材２８とコーナー下カバー１８とが予め取り付けられたパネル下カバー１６が取り付けられる。ここで、図４（ａ）は、パネル下カバー１６、コーナー下カバー１８、５５、キャップ部材２８取り付けられる前の外観を、図４（ｃ）は、パネル下カバー１６、コーナー下カバー１８、５５、キャップ部材２８取り付けられた後の外観をそれぞれ示しており、図４（ｂ）にてパネル下カバー１６、コーナー下カバー１８、５５、キャップ部材２８取り付けられる状態をＢ部のみ拡大して示している。
【００３７】
支柱１２に固定されたコーナー下カバー５５と、パネル下カバー１６に固定されたコーナー下カバー１８とが対をなしており、一対のコーナー下カバー１８、５５は、一方のコーナー下カバー１８、５５の遮蔽板部１８ｂ、５５ｂが他方のコーナー下カバー１８、５５に連結されることなく、一方のコーナー下カバー１８、５５の遮蔽板部１８ｂ、５５ｂの先端１８ｄ、５５ｄが、他方のコーナー下カバー１８、５５の遮蔽板部１８ｂ、５５ｂの先端１８ｄ、５５ｄに向かい、各々の遮蔽板部１８ｂ、５５ｂがほぼ直角をなすように配置されてパネル下カバー１６が固定される。このように、パネル下カバー１６の端部または支柱１２からフェンス５０のコーナー側にコーナー下カバー１８、５５の遮蔽板部１８ｂ、５５ｂが突出してコーナー下空隙内に位置するように配置されると、少なくともコーナー下カバー１８、５５がない状態よりコーナー下空隙を覆うことが可能である。また、このとき、コーナー下カバー１８、５５は、図５に示すように、コーナー部材２２の水平断面における輪郭の内側に配置されているので、コーナー下カバー１８、５５が突出しないため、意匠性に優れたフェンスを実現することが可能である。
【００３８】
また、第２実施形態のフェンス５０によれば、パネル下空隙をパネル下カバー１６にて、コーナー下空隙をコーナー下カバー１８、５５にて覆うので、パネル部材１４の下及びコーナー部材２２の下をいずれも覆うことが可能である。このとき、対をなすコーナー下カバー１８、５５は、各々固定板部１８ａ、５５ａが固定されているだけで、遮蔽板部１８ｂ、５５ｂは他方のコーナー下カバー１８、５５に連結されないので、取り付けが容易である。特に、支柱１２が端部に配置されるパネルユニット５１ａは、パネル下空隙とコーナー下空隙とが支柱１２により仕切られるのでキャップ部材２８を設ける必要はなく、コーナー下カバー５５を両面テープ５６等にて支柱１２に固定するだけなので、容易に取り付けることが可能である。さらに、コーナー下カバー５５の固定板部５５ａがパネル下空隙とコーナー下空隙とを仕切る支柱１２に固定されているので、支柱１２にて仕切られたコーナー下空隙を隙間無く覆うことが可能である。
【００３９】
第２実施形態においては、隣接する２つのパネルユニット５１ａ、５１ｂの一方のみが、端部に支柱１２が設けられている例について説明したが、２つのパネルユニット５１がいずれも端部に支柱１２が設けられていてもよいし、また、いずれも端部もパネル部材１４の上下の枠部材１４ｂ、１４ｃがコーナー部材２２と連結されている形態であっても構わない。
【００４０】
また、上記実施形態においては、キャップ部材２８及びコーナー下カバー１８をパネル下カバー１６に固定する固定具、パネル下カバー１６をパネル部材１４に固定する固定具をねじとしたが、これに限るものではない。特に、押出成形部材のような薄肉の部材に他の部材を取り付ける場合には、押出成形部材内に挿入された部材と、外側の部材とを挟み込むように締結するような固定具であっても構わない。
【００４１】
また、上記実施形態においては、コーナー下カバー５５は、上下形状が非対称となるように形成されていたが、これに限ることなく、第１実施形態と同様に長方形状の板材がほぼ直角に折り曲げられているような上下形状が対称となるように形成されていても良い。コーナー下カバー５５の上下形状が対称となる場合には第１実施形態と同様に、１種類のコーナー下カバー１８を反転させて用いることにより、コーナー部材２２の左右のコーナー下空隙をそれぞれ覆うコーナー下カバーとして使用することが可能である。
【００４２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４３】
【図１】第１実施形態に係るフェンスの外観及び構成を説明するための図である。
【図２】第１実施形態に係るコーナー下カバーの構成を説明するための図である。
【図３】第１実施形態に係るコーナー下カバーの形状を説明するための図である。
【図４】第２実施形態に係るフェンスの外観及び構成を説明するための図である。
【図５】第２実施形態に係るコーナー下カバーの構成を説明するための図である。
【図６】第２実施形態に係るコーナー下カバーの形状を説明するための図である。
【符号の説明】
【００４４】
１０  フェンス、１２  支柱、１４  パネル部材、
１５  パネルユニット、１６  パネル下カバー、
１８  コーナー下カバー、１８ａ  固定板部、１８ｂ  遮蔽板部、
２２  コーナー部材、２８  キャップ部材、３０  ねじ、５０  フェンス、
５１  パネルユニット、５１ａ  パネルユニット、５１ｂ  パネルユニット、
５５  コーナー下カバー、５５ａ  固定板部、５５ｂ  遮蔽板部
【図１】
0004991513.tif 000002
【図２】
0004991513.tif 000003
【図３】
0004991513.tif 000004
【図４】
0004991513.tif 000005
【図５】
0004991513.tif 000006
【図６】
0004991513.tif 000007